(57)【要約】【課題】本発明は、ＩＰ網又は電話網に接続されている端末機器から電話網に接続されている端末機器へ電話を転送する電話転送装置及び電話転送方法の提供を目的とする。【解決手段】本発明に係る電話転送装置は、ＩＰ網に接続されたデータ端末との間でＩＰパケットを送受信するＩＰ網接続部と、ＩＰ網接続部が受信するＩＰパケットに含まれている発呼情報を識別し、発呼制御信号を出力する発呼制御部と、発呼制御部が識別する発呼情報に関連付けられ、かつＩＰ網接続部が受信するＩＰパケットに含まれている電話番号情報を抽出し、当該電話番号情報を電話番号信号に変換する電話番号抽出部と、電話加入者線に接続され、発呼制御部からの発呼制御信号を発呼信号に変換して電話加入者線に送信し、電話番号抽出部からの電話番号信号を電話加入者線に送信する電話加入者線接続部と、を備えることを特徴とする。【選択図】図１
2010062857.tif 000002
【特許請求の範囲】
【請求項１】
ＩＰ網に接続され、かつ前記ＩＰ網に接続されたデータ端末との間で当該ＩＰ網における固有の識別子を付したＩＰパケットを送受信するＩＰ網接続部と、
前記ＩＰ網接続部が受信するＩＰパケットに含まれている発呼情報を識別し、発呼制御信号を出力する発呼制御部と、
前記発呼制御部が識別する発呼情報に関連付けられ、かつ前記ＩＰ網接続部が受信するＩＰパケットに含まれている電話番号情報を抽出し、当該電話番号情報を電話加入者線における電話番号信号に変換する電話番号抽出部と、
電話加入者線に接続され、前記発呼制御部からの発呼制御信号を電話加入者線における発呼信号に変換して前記電話加入者線に送信し、前記電話番号抽出部からの電話番号信号を前記電話加入者線に送信する電話加入者線接続部と、
を備えることを特徴とする電話転送装置。
【請求項２】
前記ＩＰ網接続部が受信するＩＰパケットに含まれている音声情報を抽出してアナログ音声信号に変換し、前記電話加入者線接続部を介して前記電話加入者線に送信する音声情報抽出部と、
前記電話加入者線からのアナログ音声信号を前記電話加入者線接続部を介して受信し、当該アナログ音声信号をＩＰパケットに変換して前記ＩＰ網接続部に出力する音声パケット化部と、をさらに備えることを特徴とする請求項１に記載の電話転送装置。
【請求項３】
前記電話加入者線からの電話網終話信号を前記電話加入者線接続部を介して受信すると、電話網終話情報をＩＰパケットに載せて前記ＩＰ網接続部に出力するとともに、前記電話加入者線接続部に前記電話加入者線との接続を切断させる電話網終話部と、
前記ＩＰ網接続部が受信するＩＰパケットに含まれているＩＰ網終話情報を識別し、当該ＩＰ網終話情報がＩＰパケットに含まれていることを認識すると、前記電話加入者線接続部に前記電話加入者線との接続を切断させるＩＰ網終話部と、をさらに備えることを特徴とする請求項１又は２に記載の電話転送装置。
【請求項４】
第１の電話加入者線に接続される第１電話加入者線接続部と、
第２の電話加入者線に接続される第２電話加入者線接続部と、
前記第１の電話加入者線接続部から電話加入者線における着呼信号を受信すると、前記第１の電話加入者線に接続されている電話網と通話を開始する着呼制御部と、
前記第１の電話加入者線から前記第１電話加入者線接続部を介して受信する音声信号帯域に含まれる発呼情報を識別し、電話加入者線における発呼制御信号を前記第２電話加入者線接続部に出力する発呼制御部と、
前記発呼制御部が識別する発呼情報に関連付けられかつ前記音声信号帯域に載せられている電話番号情報を抽出し、当該電話番号情報を電話加入者線における電話番号信号に変換する電話番号抽出部と、
前記第２電話加入者線接続部は、前記発呼制御部からの発呼制御信号を電話加入者線における発呼信号に変換して前記第２の電話加入者線に送信し、前記電話番号抽出部からの電話番号信号を前記第２の電話加入者線に送信することを特徴とする電話転送装置。
【請求項５】
前記第１電話加入者線接続部は、前記第１の電話加入者線からのアナログ音声信号を前記第２電話加入者線接続部に出力し、前記第２電話加入者線接続部からのアナログ音声信号を前記第１の電話加入者線に出力し、
前記第２電話加入者線接続部は、前記第２の電話加入者線からのアナログ音声信号を前記第１電話加入者線接続部に出力し、前記第１電話加入者線接続部からのアナログ音声信号を前記第２の電話加入者線に出力することを特徴とする請求項４に記載の電話転送装置。
【請求項６】
前記第１電話加入者線接続部からのアナログ音声信号を受信し、当該アナログ音声信号の音声信号帯域に電話網終話情報が含まれているか否かを判定し、当該電話網終話情報が含まれている場合に前記第２電話加入者線接続部に前記第２の電話加入者線との接続を切断させる第１電話網終話部と、
前記第２の電話加入者線から前記第２電話加入者線接続部を介して電話加入者線における電話網終話信号を受信すると、電話網終話情報を音声信号帯域に載せて前記第１電話加入者線接続部を介して前記第１の電話加入者線に出力するとともに、前記第２電話加入者線接続部に前記第２の電話加入者線との接続を切断させる第２電話網終話部と、をさらに備えることを特徴とする請求項４又は５に記載の電話転送装置。
【請求項７】
前記第１の電話加入者線から前記第１電話加入者線接続部を介して電話加入者線における電話網終話信号を受信すると、前記第２電話加入者線接続部に前記第２の電話加入者線との接続を切断させるとともに、前記第１電話加入者線接続部に前記第１の電話加入者線との接続を切断させる第１電話網終話部と、
前記第２の電話加入者線から前記第２電話加入者線接続部を介して電話加入者線における電話網終話信号を受信すると、前記第１電話加入者線接続部に前記第１の電話加入者線との接続を切断させるとともに、前記第２電話加入者線接続部に前記第２の電話加入者線との接続を切断させる第２電話網終話部と、をさらに備えることを特徴とする請求項４又は５に記載の電話転送装置。
【請求項８】
ＩＰ網に接続され、かつ前記ＩＰ網に接続されたデータ端末との間で当該ＩＰ網における固有の識別子を付したＩＰパケットを送受信するＩＰ網接続部が受信するＩＰパケットに含まれている発呼情報を、発呼制御部が、識別し、発呼制御信号を出力する発呼制御手順と、
電話番号抽出部が、前記発呼制御手順で識別した発呼情報に関連付けられ、かつ前記発呼制御手順で受信したＩＰパケットに含まれている電話番号情報を抽出し、当該電話番号情報を電話加入者線における電話番号信号に変換する電話番号抽出手順と、
電話加入者線に接続された電話加入者線接続部が、前記発呼制御手順で出力した発呼制御信号を電話加入者線における発呼信号に変換して前記電話加入者線に送信し、前記電話番号抽出手順で変換した電話番号信号を前記電話加入者線に送信する電話加入者線接続手順と、
を順に有することを特徴とする電話転送方法。
【請求項９】
音声情報抽出部が、前記ＩＰ網接続部が受信するＩＰパケットに含まれている音声情報を抽出してアナログ音声信号に変換し、前記電話加入者線接続部を介して前記電話加入者線に送信するとともに、音声パケット化部が、前記電話加入者線からのアナログ音声信号を前記電話加入者線接続部を介して受信し、当該アナログ音声信号をＩＰパケットに変換して前記ＩＰ網接続部に出力する音声転送手順を、前記電話加入者線接続手順の後にさらに有することを特徴とする請求項８に記載の電話転送方法。
【請求項１０】
電話網終話部が、前記電話加入者線からの電話網終話信号を前記電話加入者線接続部を介して受信すると、電話網終話情報をＩＰパケットに載せて前記ＩＰ網接続部に出力するとともに、前記電話加入者線接続部に前記電話加入者線との接続を切断させるか、或いは、
ＩＰ網終話部が、前記ＩＰ網接続部が受信するＩＰパケットに含まれているＩＰ網終話情報を識別し、当該ＩＰ網終話情報がＩＰパケットに含まれていることを認識すると、前記電話加入者線接続部に前記電話加入者線との接続を切断させる終話手順を、
前記音声転送手順の後にさらに有することを特徴とする請求項９に記載の電話転送方法。
【請求項１１】
着呼制御部が、前記第１の電話加入者線に接続される第１電話加入者線接続部から電話加入者線における着呼信号を受信すると、前記第１の電話加入者線に接続されている電話網と通話を開始する着呼手順と、
発呼制御部が、前記第１の電話加入者線から前記第１電話加入者線接続部を介して受信する音声信号帯域に含まれる発呼情報を識別し、電話加入者線における発呼制御信号を、第２の電話加入者線に接続される第２電話加入者線接続部に出力する発呼制御手順と、
電話番号抽出部が、前記発呼制御手順で識別した発呼情報に関連付けられかつ前記音声信号帯域に載せられている電話番号情報を抽出し、当該電話番号情報を電話加入者線における電話番号信号に変換する電話番号抽出手順と、
前記第２電話加入者線接続部が、前記発呼制御部からの発呼制御信号を電話加入者線における発呼信号に変換して前記第２の電話加入者線に送信し、前記電話番号抽出部からの電話番号信号を前記第２の電話加入者線に送信する発呼手順と、を順に有することを特徴とする電話転送方法。
【請求項１２】
前記第１電話加入者線接続部が、前記第１の電話加入者線からのアナログ音声信号を前記第２電話加入者線接続部に出力し、前記第２電話加入者線接続部からのアナログ音声信号を前記第１の電話加入者線に出力し、前記第２電話加入者線接続部が、前記第２の電話加入者線からのアナログ音声信号を前記第１電話加入者線接続部に出力し、前記第１電話加入者線接続部からのアナログ音声信号を前記第２の電話加入者線に出力する音声転送手順を、前記発呼手順の後にさらに有することを特徴とする請求項１１に記載の電話転送方法。
【請求項１３】
第１電話網終話部が、前記第１電話加入者線接続部からのアナログ音声信号を受信し、当該アナログ音声信号の音声信号帯域に電話網終話情報が含まれているか否かを判定し、当該電話網終話情報が含まれている場合に前記第２電話加入者線接続部に前記第２の電話加入者線との接続を切断させるか、或いは、
第２電話網終話部が、前記第２の電話加入者線から前記第２電話加入者線接続部を介して電話加入者線における電話網終話信号を受信すると、電話網終話情報を音声信号帯域に載せて前記第１電話加入者線接続部を介して前記第１の電話加入者線に出力するとともに、前記第２電話加入者線接続部に前記第２の電話加入者線との接続を切断させる終話手順と、を前記音声転送手順の後にさらに有することを特徴とする請求項１２に記載の電話転送方法。
【請求項１４】
第１電話網終話部が、前記第１の電話加入者線から前記第１電話加入者線接続部を介して電話加入者線における電話網終話信号を受信すると、前記第２電話加入者線接続部に前記第２の電話加入者線との接続を切断させるとともに、前記第１電話加入者線接続部に前記第１の電話加入者線との接続を切断させるか、或いは、
第２電話網終話部が、前記第２の電話加入者線から前記第２電話加入者線接続部を介して電話加入者線における電話網終話信号を受信すると、前記第１電話加入者線接続部に前記第１の電話加入者線との接続を切断させるとともに、前記第２電話加入者線接続部に前記第２の電話加入者線との接続を切断させる終話手順と、を前記音声転送手順の後にさらに有することを特徴とする請求項１２に記載の電話転送方法。
【発明の詳細な説明】
【技術分野】
【０００１】
本発明は、外出先からの通話を自宅に設置されている固定電話を介して行う電話転送装置に関する。
【背景技術】
【０００２】
従来より、自宅に設置されている固定電話への通話を外出先の電話に転送する電話転送サービスが行われてきた。電話転送サービスとしては、固定電話間、携帯電話間、固定電話−携帯電話間があった。
【０００３】
一方で、外出先から固定電話への音声通話をＩＰパケットに変換し、携帯電話やパソコンなどのインターネット通信機能を有する装置へ転送する転送装置が提案されている（例えば、特許文献１参照。）。
【特許文献１】特開２００７−２３５９６４号公報
【発明の開示】
【発明が解決しようとする課題】
【０００４】
電話転送サービスは、固定電話間、携帯電話間、固定電話−携帯電話間などの電話網内で行われ、任意の通信網をまたがっての転送は行われていなかった。特に、ＩＰ網と電話網をまたがる電話転送技術については開示されていない。
【０００５】
そこで、本発明は、ＩＰ網又は電話網に接続されている端末機器から電話網に接続されている端末機器へ電話を転送する電話転送装置及び電話転送方法の提供を目的とする。
【課題を解決するための手段】
【０００６】
上記課題を解決するために、本発明に係る電話転送装置は、ＩＰ網に接続され、かつ前記ＩＰ網に接続されたデータ端末との間で当該ＩＰ網における固有の識別子を付したＩＰパケットを送受信するＩＰ網接続部と、前記ＩＰ網接続部が受信するＩＰパケットに含まれている発呼情報を識別し、発呼制御信号を出力する発呼制御部と、前記発呼制御部が識別する発呼情報に関連付けられ、かつ前記ＩＰ網接続部が受信するＩＰパケットに含まれている電話番号情報を抽出し、当該電話番号情報を電話加入者線における電話番号信号に変換する電話番号抽出部と、電話加入者線に接続され、前記発呼制御部からの発呼制御信号を電話加入者線における発呼信号に変換して前記電話加入者線に送信し、前記電話番号抽出部からの電話番号信号を前記電話加入者線に送信する電話加入者線接続部と、を備えることを特徴とする。
【０００７】
本発明に係る電話転送装置は、ＩＰ網接続部を備えることで、ＩＰ網に接続されている端末機器との間で通話を行うことができる。本発明に係る電話転送装置は、発呼制御部、電話番号抽出部及び電話加入者線接続部を備えることで、指定された電話番号の端末機器へ電話をかけることができる。したがって、本発明に係る電話転送装置は、ＩＰ網に接続されている端末機器から電話網に接続されている端末機器へ電話を転送することができる。
【０００８】
本発明に係る電話転送装置では、前記ＩＰ網接続部が受信するＩＰパケットに含まれている音声情報を抽出してアナログ音声信号に変換し、前記電話加入者線接続部を介して前記電話加入者線に送信する音声情報抽出部と、前記電話加入者線からのアナログ音声信号を前記電話加入者線接続部を介して受信し、当該アナログ音声信号をＩＰパケットに変換して前記ＩＰ網接続部に出力する音声パケット化部と、をさらに備えることが好ましい。
本発明に係る電話転送装置は、音声情報抽出部及び音声パケット化部をさらに備えるので、ＩＰ網に接続されている端末機器と電話網に接続されている端末機器との間での通話が可能になる。
【０００９】
本発明に係る電話転送装置では、前記電話加入者線からの電話網終話信号を前記電話加入者線接続部を介して受信し、当該電話網終話信号をＩＰパケットに変換して前記ＩＰ網接続部に出力するとともに、前記電話加入者線接続部に前記電話加入者線との接続を切断させる電話網終話部と、前記ＩＰ網接続部が受信するＩＰパケットに含まれているＩＰ網終話情報を抽出し、当該ＩＰ網終話情報をＩＰ網終話信号に変換し、前記電話加入者線接続部に前記電話加入者線との接続を切断させるＩＰ網終話部と、をさらに備えることが好ましい。
本発明に係る電話転送装置は、電話網終話部及びＩＰ網終話部をさらに備えるので、ＩＰ網に接続されている端末機器と電話網に接続されている端末機器との間での終話が可能になる。
【００１０】
上記課題を解決するために、本発明に係る電話転送装置は、第１の電話加入者線に接続される第１電話加入者線接続部と、第２の電話加入者線に接続される第２電話加入者線接続部と、前記第１電話加入者線接続部から電話加入者線における着呼信号を受信すると、前記第１の電話加入者線に接続されている電話網と通話を開始する着呼制御部と、前記第１の電話加入者線から前記第１電話加入者線接続部を介して受信する音声信号帯域に含まれる発呼情報を識別し、電話加入者線における発呼制御信号を前記第２電話加入者線接続部に出力する発呼制御部と、前記発呼制御部が識別する発呼情報に関連付けられかつ前記音声信号帯域に載せられている電話番号情報を抽出し、当該電話番号情報を電話加入者線における電話番号信号に変換する電話番号抽出部と、前記第２電話加入者線接続部は、前記発呼制御部からの発呼制御信号を電話加入者線における発呼信号に変換して前記第２の電話加入者線に送信し、前記電話番号抽出部からの電話番号信号を前記第２の電話加入者線に送信することを特徴とする。
【００１１】
本発明に係る電話転送装置は、第１電話加入者線接続部を備えることで、電話網に接続されている端末機器との間で通話を行うことができる。本発明に係る電話転送装置は、発呼制御部、電話番号抽出部及び第２電話加入者線接続部を備えることで、指定された電話番号の端末機器へ電話をかけることができる。したがって、本発明に係る電話転送装置は、第１の電話網に接続されている端末機器から第２の電話網に接続されている端末機器へ電話を転送することができる。
【００１２】
本発明に係る電話転送装置では、前記第１電話加入者線接続部は、前記第１の電話加入者線からのアナログ音声信号を前記第２電話加入者線接続部に出力し、前記第２電話加入者線接続部からのアナログ音声信号を前記第１の電話加入者線に出力し、前記第２電話加入者線接続部は、前記第２の電話加入者線からのアナログ音声信号を前記第１電話加入者線接続部に出力し、前記第１電話加入者線接続部からのアナログ音声信号を前記第２の電話加入者線に出力することが好ましい。
本発明に係る電話転送装置は、第１電話加入者線接続部及び第２電話加入者線接続部がアナログ音声信号を授受してそれぞれ第１の電話加入者線及び第２の電話加入者線に送信するので、第１の電話網に接続されている端末機器と第２の電話網に接続されている端末機器との間での通話が可能になる。
【００１３】
本発明に係る電話転送装置では、前記第１電話加入者線接続部からのアナログ音声信号を受信し、当該アナログ音声信号の音声信号帯域に電話網終話情報が含まれているか否かを判定し、当該電話網終話情報が含まれている場合に前記第２電話加入者線接続部に前記第２の電話加入者線との接続を切断させる第１電話網終話部と、前記第２の電話加入者線から前記第２電話加入者線接続部を介して電話加入者線における電話網終話信号を受信すると、電話網終話情報を音声信号帯域に載せて前記第１電話加入者線接続部を介して前記第１の電話加入者線に出力するとともに、前記第２電話加入者線接続部に前記第２の電話加入者線との接続を切断させる第２電話網終話部と、をさらに備えることが好ましい。
本発明に係る電話転送装置は、第１電話網終話部及び第２電話網終話部をさらに備えるので、第１の電話網に接続されている端末機器と第２の電話網に接続されている端末機器との間での終話が可能になる。
【００１４】
本発明に係る電話転送装置では、前記第１の電話加入者線から前記第１電話加入者線接続部を介して電話加入者線における電話網終話信号を受信すると、前記第２電話加入者線接続部に前記第２の電話加入者線との接続を切断させるとともに、前記第１電話加入者線接続部に前記第１の電話加入者線との接続を切断させる第１電話網終話部と、前記第２の電話加入者線から前記第２電話加入者線接続部を介して電話加入者線における電話網終話信号を受信すると、前記第１電話加入者線接続部に前記第１の電話加入者線との接続を切断させるとともに、前記第２電話加入者線接続部に前記第２の電話加入者線との接続を切断させる第２電話網終話部と、をさらに備えることが好ましい。
本発明に係る電話転送装置は、第１電話網終話部及び第２電話網終話部をさらに備えるので、第１の電話網に接続されている端末機器と第２の電話網に接続されている端末機器との間での終話が可能になる。
【００１５】
上記課題を解決するために、本発明に係る電話転送方法は、ＩＰ網に接続され、かつ前記ＩＰ網に接続されたデータ端末との間で当該ＩＰ網における固有の識別子を付したＩＰパケットを送受信するＩＰ網接続部が受信するＩＰパケットに含まれている発呼情報を、発呼制御部が、識別し、発呼制御信号を出力する発呼制御手順と、電話番号抽出部が、前記発呼制御手順で識別した発呼情報に関連付けられ、かつ前記発呼制御手順で受信したＩＰパケットに含まれている電話番号情報を抽出し、当該電話番号情報を電話加入者線における電話番号信号に変換する電話番号抽出手順と、電話加入者線に接続された電話加入者線接続部が、前記発呼制御手順で出力した発呼制御信号を電話加入者線における発呼信号に変換して前記電話加入者線に送信し、前記電話番号抽出手順で変換した電話番号信号を前記電話加入者線に送信する電話加入者線接続手順と、を順に有することを特徴とする。
【００１６】
本発明に係る電話転送方法は、発呼制御手順、電話番号抽出手順及び電話加入者線接続手順を有することで、指定された電話番号の端末機器へ電話をかけることができる。したがって、本発明に係る電話転送方法を実行することで、ＩＰ網に接続されている端末機器から電話網に接続されている端末機器へ電話を転送することができる。
【００１７】
本発明に係る電話転送方法では、音声情報抽出部が、前記ＩＰ網接続部が受信するＩＰパケットに含まれている音声情報を抽出してアナログ音声信号に変換し、前記電話加入者線接続部を介して前記電話加入者線に送信するとともに、音声パケット化部が、前記電話加入者線からのアナログ音声信号を前記電話加入者線接続部を介して受信し、当該アナログ音声信号をＩＰパケットに変換して前記ＩＰ網接続部に出力する音声転送手順を、前記電話加入者線接続手順の後にさらに有することが好ましい。
本発明に係る電話転送方法は、音声転送手順をさらに有するので、ＩＰ網に接続されている端末機器と電話網に接続されている端末機器との間での通話が可能になる。
【００１８】
本発明に係る電話転送方法では、電話網終話部が、前記電話加入者線からの電話網終話信号を前記電話加入者線接続部を介して受信し、当該電話網終話信号をＩＰパケットに変換して前記ＩＰ網接続部に出力するとともに、前記電話加入者線接続部に前記電話加入者線との接続を切断させるか、或いは、ＩＰ網終話部が、前記ＩＰ網接続部が受信するＩＰパケットに含まれているＩＰ網終話情報を抽出し、当該ＩＰ網終話情報をＩＰ網終話信号に変換し、前記電話加入者線接続部に前記電話加入者線との接続を切断させる終話手順を、前記音声転送手順の後にさらに有することが好ましい。
本発明に係る電話転送方法は、終話手順をさらに有するので、ＩＰ網に接続されている端末機器と電話網に接続されている端末機器との間での終話が可能になる。
【００１９】
上記課題を解決するために、本発明に係る電話転送方法は、着呼制御部が、前記第１の電話加入者線に接続される第１電話加入者線接続部から電話加入者線における着呼信号を受信すると、前記第１の電話加入者線に接続されている電話網と通話を開始する着呼手順と、発呼制御部が、前記第１の電話加入者線から前記第１電話加入者線接続部を介して受信する音声信号帯域に含まれる発呼情報を識別し、電話加入者線における発呼制御信号を、第２の電話加入者線に接続される第２電話加入者線接続部に出力する発呼制御手順と、電話番号抽出部が、前記発呼制御手順で識別した発呼情報に関連付けられかつ前記音声信号帯域に載せられている電話番号情報を抽出し、当該電話番号情報を電話加入者線における電話番号信号に変換する電話番号抽出手順と、前記第２電話加入者線接続部が、前記発呼制御部からの発呼制御信号を電話加入者線における発呼信号に変換して前記第２の電話加入者線に送信し、前記電話番号抽出部からの電話番号信号を前記第２の電話加入者線に送信する発呼手順と、を順に有することを特徴とする。
【００２０】
本発明に係る電話転送方法は、着呼制御手順を有することで、電話網に接続されている端末機器との間で通話を行うことができる。本発明に係る電話転送方法は、発呼制御手順、電話番号抽出手順及び発呼手順を有することで、指定された電話番号の端末機器へ電話をかけることができる。したがって、本発明に係る電話転送方法は、電話網に接続されている端末機器から電話網に接続されている端末機器へ電話を転送することができる。
【００２１】
本発明に係る電話転送方法では、前記第１電話加入者線接続部が、前記第１の電話加入者線からのアナログ音声信号を前記第２電話加入者線接続部に出力し、前記第２電話加入者線接続部からのアナログ音声信号を前記第１の電話加入者線に出力し、前記第２電話加入者線接続部が、前記第２の電話加入者線からのアナログ音声信号を前記第１電話加入者線接続部に出力し、前記第１電話加入者線接続部からのアナログ音声信号を前記第２の電話加入者線に出力する音声転送手順を、前記発呼手順の後にさらに有することが好ましい。
本発明に係る電話転送方法は、音声転送手順を有するので、第１の電話網に接続されている端末機器と第２の電話網に接続されている端末機器との間での通話が可能になる。
【００２２】
本発明に係る電話転送方法では、第１電話網終話部が、前記第１電話加入者線接続部からのアナログ音声信号を受信し、当該アナログ音声信号の音声信号帯域に電話網終話情報が含まれているか否かを判定し、当該電話網終話情報が含まれている場合に前記第２電話加入者線接続部に前記第２の電話加入者線との接続を切断させるか、或いは、第２電話網終話部が、前記第２の電話加入者線から前記第２電話加入者線接続部を介して電話加入者線における電話網終話信号を受信すると、電話網終話情報を音声信号帯域に載せて前記第１電話加入者線接続部を介して前記第１の電話加入者線に出力するとともに、前記第２電話加入者線接続部に前記第２の電話加入者線との接続を切断させる終話手順と、を前記音声転送手順の後にさらに有することが好ましい。
本発明に係る電話転送方法は、終話手順をさらに有するので、第１の電話網に接続されている端末機器と第２の電話網に接続されている端末機器との間での終話が可能になる。
【００２３】
本発明に係る電話転送方法では、第１電話網終話部が、前記第１の電話加入者線から前記第１電話加入者線接続部を介して電話加入者線における電話網終話信号を受信すると、前記第２電話加入者線接続部に前記第２の電話加入者線との接続を切断させるとともに、前記第１電話加入者線接続部に前記第１の電話加入者線との接続を切断させるか、或いは、
第２電話網終話部が、前記第２の電話加入者線から前記第２電話加入者線接続部を介して電話加入者線における電話網終話信号を受信すると、前記第１電話加入者線接続部に前記第１の電話加入者線との接続を切断させるとともに、前記第２電話加入者線接続部に前記第２の電話加入者線との接続を切断させる終話手順と、を前記音声転送手順の後にさらに有することが好ましい。
本発明に係る電話転送方法は、終話手順をさらに有するので、第１の電話網に接続されている端末機器と第２の電話網に接続されている端末機器との間での終話が可能になる。
【発明の効果】
【００２４】
本発明によれば、ＩＰ網又は電話網に接続されている端末機器から電話網に接続されている端末機器へ電話を転送する電話転送装置及び電話転送方法を提供することができる。
【発明を実施するための最良の形態】
【００２５】
添付の図面を参照して本発明の実施の形態を説明する。以下に説明する実施の形態は本発明の構成の例であり、本発明は、以下の実施の形態に制限されるものではない。
（実施形態１）
図１は、本実施形態に係るネットワークシステム全体の概略図である。本実施形態に係るネットワークシステムは、ＩＰ網１０１と、電話網１０２と、ＩＰ網１０１と電話網１０２をつなぐ電話転送装置９１と、を備える。電話網１０２は、携帯電話や固定電話などの電話サービスを提供するために構築されたネットワークである。ＩＰ網１０１は、各種データを伝送するために構築されたネットワークである。ＩＰ網１０１が光通信ネットワークであれば、ＩＰ網１０１にＯＮＵ（Ｏｐｔｉｃａｌ  Ｎｅｔｗｏｒｋ  Ｕｎｉｔ）などの光ネットワーク機器が備わることになる。ＩＰ網１０１及び電話網１０２は、中継装置などの各種ネットワーク装置を備えるが、本実施形態では省略する。
【００２６】
電話転送装置９１は、データ端末５０からの電話を、電話端末５３に転送する機能を有する。そのため、電話転送装置９１は、データ端末５０及び電話端末５３のいずれとも通話が可能なネットワーク構成をもつ。例えば、電話転送装置９１は、モデムを内蔵したルータ５１によってＩＰ網１０１と接続され、交換機５２ａによって電話網１０２と接続されている。これにより、電話転送装置９１を加入者宅に設置されている固定電話として使用することができる。例えば、電話転送装置９１に固定電話を接続すれば、当該固定電話は、ＩＰ網１０１内のサーバ５５ｂに接続されているデータ端末５０とソフトフォンによっての通話が可能になるとともに、電話網１０２に接続されている電話端末５３と通話が可能となる。なお、電話端末５３は、電話網１０２によって通話可能な電話機能を有する端末であり、例えば携帯電話又は固定電話である。
【００２７】
図２に、電話転送装置９１の構成例を示す。電話転送装置９１は、ＩＰ網接続部１１と、電話加入者線接続部１２と、発呼制御部１３と、電話番号抽出部１４と、音声情報抽出部１５と、音声パケット化部１６と、電話網終話部１７と、ＩＰ網終話部１８と、を備える。ＩＰ網接続部１１はＩＰ網１０１に接続される。電話加入者線接続部１２は電話加入者線１０３に接続される。
【００２８】
ＩＰ網接続部１１は、ＩＰ網１０１に接続されたデータ端末５０との間で当該ＩＰ網１０１における固有の識別子を付したＩＰパケットを送受信する。固有の識別子は例えばＩＰアドレスである。ＩＰ網接続部１１がデータ端末５０との間で送受信するＩＰパケットに送信先又は送信元として付されるＩＰアドレスはルータ５１のアドレスであってもよい。この場合、ルータ５１がダイナミックＤＮＳ（Ｄｏｍａｉｎ  Ｎａｍｅ  Ｓｙｓｔｅｍ）によってドメインを取得しているのであれば、ＩＰ網接続部１１は、ルータ５１の最新のＩＰアドレスをＤＮＳサーバ５５ａに登録することが好ましい。
【００２９】
電話転送装置９１は、電話転送方法を実行する。図３に、電話転送方法の一例を示す。電話転送方法では、発呼制御手順Ｓ１１１と、電話番号抽出手順Ｓ１１２と、電話加入者線接続手順Ｓ１１３を順に有する。電話転送装置９１は、電話加入者線接続手順Ｓ１１３の後に、音声転送手順Ｓ１１４及び終話手順Ｓ１１５を順に有する。
【００３０】
発呼制御手順Ｓ１１１では、発呼制御部１３は、ＩＰ網接続部１１が受信するＩＰパケットに含まれている発呼情報を識別し、発呼制御信号を出力する。電話番号抽出手順Ｓ１１２では、電話番号抽出部１４は、発呼制御部１３が識別する発呼情報に関連付けられ、かつＩＰ網接続部１１が受信するＩＰパケットに含まれている電話番号情報を抽出し、当該電話番号情報を電話加入者線１０３における電話番号信号に変換する。電話加入者線接続手順Ｓ１１３では、電話加入者線接続部１２が、発呼制御部１３からの発呼制御信号を電話加入者線１０３における発呼信号に変換して電話加入者線１０３に送信し、電話番号抽出部１４からの電話番号信号を電話加入者線１０３に送信する。上記手順を実行することによって、電話転送装置９１は、図１に示すデータ端末５０から指定された電話番号の電話端末５３に電話をかけることができる。
【００３１】
具体的には、発呼制御部１３が発呼情報を識別すると電話加入者線接続部１２に発呼制御信号を出力する。一方で、電話番号抽出部１４は、発呼情報に続いて記録されている電話番号情報を読出し、電話番号に応じた電話番号信号としてのＤＴＭＦ（Ｄｉａｌ  Ｔｏｎｅ  Ｍｕｌｔｉ  Ｆｒｅｑｕｅｎｃｙ）音に変換して電話加入者線接続部１２に出力する。そして、電話加入者線接続部１２は電話加入者線１０３の回線をオフフックの状態にし、ＤＴＭＦ音を電話加入者線１０３に送信する。ここで、発呼情報及び電話番号情報は、ＩＰパケットのいずれのレイヤーに含まれていてもよい。
【００３２】
電話転送装置９１は、音声転送手順Ｓ１１４を電話加入者線接続手順Ｓ１１３の後にさらに実行する。音声転送手順Ｓ１１４では、音声情報抽出部１５が、ＩＰ網接続部１１の受信するＩＰパケットに含まれている音声情報を抽出してアナログ音声信号に変換し、電話加入者線接続部１２を介して電話加入者線１０３に送信する。一方で、音声パケット化部１６が、電話加入者線１０３からのアナログ音声信号を電話加入者線接続部１２を介して受信し、当該アナログ音声信号をＩＰパケットに変換してＩＰ網接続部１１に出力する。これにより、図１に示すデータ端末５０と電話端末５３の間での通話が可能になる。
【００３３】
具体的には、音声情報抽出部１５は、複数のＩＰパケットを結合して一連のデジタル信号とし、一連のデジタル信号中に含まれる音声情報をアナログ音声信号に変換して、電話加入者線接続部１２に出力する。電話加入者線接続部１２に入力されたアナログ音声信号はそのまま電話加入者線１０３から送信される。一方で、音声パケット化部１６が、音声情報抽出部１５とは逆の処理を行う。すなわち、アナログ音声信号をデジタル信号に変換してパケット化し、ＩＰ網接続部１１に出力する。
【００３４】
電話転送装置９１は、終話手順Ｓ１１５を電話加入者線接続手順Ｓ１１３の後にさらに実行する。終話手順Ｓ１１５では、図１に示すデータ端末５０又は電話端末５３が電話を切ったときに、ＩＰ網１０１及び電話網１０２の両方の接続を切断し、終話させる。一方、終話手順Ｓ１１５では、データ端末５０又は電話端末５３が電話を切らなければ音声転送手順Ｓ１１４へ戻り、終話手順Ｓ１１５と音声転送手順Ｓ１１４を繰り返す。
【００３５】
具体的には、図１に示す電話端末５３から電話を切る場合、終話手順Ｓ１１５では、電話網終話部１７が、電話加入者線１０３からの電話網終話信号を電話加入者線接続部１２を介して受信すると、電話網終話情報をＩＰパケットに載せてＩＰ網接続部１１に出力する。ここで、電話網終話信号は、例えば転極信号である。電話網終話情報は、電話加入者線１０３の回線が切断されたことを図１に示すデータ端末５０に通知する情報である。図１に示すデータ端末５０は、電話網終話情報を受信することで、ＩＰ網接続部１１とのＩＰパケットによる通話を終了する。一方、電話網終話部１７は、電話網終話信号を受信することで、電話加入者線接続部１２をオンフックの状態に戻して、電話加入者線接続部１２に電話加入者線１０３との接続を切断させることになる。
【００３６】
図１に示すデータ端末５０から電話を切る場合、終話手順Ｓ１１５では、ＩＰ網終話部１８は、ＩＰ網接続部１１が受信するＩＰパケットに含まれているＩＰ網終話情報を識別する。そして、ＩＰ網終話部１８は、当該ＩＰ網終話情報を識別すると、電話加入者線接続部１２に電話加入者線１０３との接続を切断させる。これにより、図１に示すデータ端末５０と電話端末５３の間での終話が可能になる。なお、ＩＰ網との接続及び切断は、ｃａｌｌ  ｂｙ  ｃａｌｌ接続か常時接続か、コネクション型かコネクションレス型か、を問わない。
【００３７】
（実施形態２）
図４は、本実施形態に係るネットワークシステム全体の概略図である。本実施形態に係るネットワークシステムは、第１の電話網１０２ａと、第２の電話網１０２ｂと、第１の電話網１０２ａと第２の電話網１０２ｂをつなぐ電話転送装置９２と、を備える。すなわち、本実施形態に係るネットワークシステムは、図１に示すＩＰ網１０１に代えて電話網を備える点で、実施形態１と異なる。このほかの点については、実施形態１と同様である。
【００３８】
電話転送装置９２は、電話端末５３ａからの電話を、電話端末５３ｂに転送する機能を有する。そのため、電話転送装置９２は、データ端末５０及び電話端末５３のいずれとも通話が可能なネットワーク構成をもつ。例えば、電話転送装置９２は、交換機５２ｃによって第１の電話網１０２ａと接続され、交換機５２ａによって第２の電話網１０２ｂと接続されている。これにより、電話転送装置９２を加入者宅に設置されている固定電話として使用することができる。例えば、電話転送装置９２に固定電話を接続すれば、当該固定電話は、電話端末５３ａ及び電話端末５３ｂと通話が可能となる。
【００３９】
図５に、電話転送装置９２の構成例を示す。電話転送装置９２は、第１電話加入者線接続部２１と、第２電話加入者線接続部２２と、着呼制御部２３と、発呼制御部２４と、電話番号抽出部２５と、第１電話網終話部２６と、第２電話網終話部２７と、を備える。第１電話加入者線接続部２１は、第１の電話加入者線１０３ａに接続される。第２電話加入者線接続部２２は、第２の電話加入者線１０３ｂに接続される。
【００４０】
電話転送装置９２は、電話転送方法を実行する。図６に、電話転送方法の一例を示す。電話転送方法では、着呼手順Ｓ２１０と、発呼制御手順Ｓ２１１と、電話番号抽出手順Ｓ２１２と、発呼手順Ｓ２１３を順に有する。電話転送装置９２は、発呼手順Ｓ２１３の後に、音声転送手順Ｓ２１４及び終話手順Ｓ２１５を順に有する。
【００４１】
着呼手順Ｓ２１０では、着呼制御部２３が、第１の電話加入者線１０３ａに接続される第１電話加入者線接続部２１から電話加入者線における着呼信号を受信すると、第１の電話加入者線１０３ａに接続されている電話網と通話を開始する。ここで、着呼信号は、例えばリンガー信号などの呼び出し信号である。通話の開始は、例えば、第１の電話加入者線１０３ａとの間でオフフックの状態にする。これにより、電話転送装置９２は、図４に示す電話端末５３ａからの音声信号を受信可能となる。
【００４２】
発呼制御手順Ｓ２１１では、発呼制御部２３が、第１の電話加入者線１０３ａから第１電話加入者線接続部２１を介して受信する音声信号帯域に含まれる発呼情報を識別し、電話加入者線における発呼制御信号を、第２の電話加入者線１０３ｂに接続される第２電話加入者線接続部２２に出力する。電話番号抽出手順Ｓ２１２では、電話番号抽出部２５が、発呼制御手順Ｓ２１１で識別した発呼情報に関連付けられかつ音声信号帯域に載せられている電話番号情報を抽出し、当該電話番号情報を電話加入者線における電話番号信号に変換する。発呼手順Ｓ２１３では、第２電話加入者線接続部１０３ｂが、発呼制御部２４からの発呼制御信号を電話加入者線における発呼信号に変換して第２の電話加入者線１０３ｂに送信し、電話番号抽出部２５からの電話番号信号を第２の電話加入者線１０３ｂに送信する。上記手順を実行することによって、電話転送装置９２は、図４に示す電話端末５３ａから指定された電話番号の電話端末５３ｂに電話をかけることができる。
【００４３】
具体的には、発呼制御部２３が発呼情報を識別すると電話加入者線接続部１２に発呼制御信号を出力する。一方で、電話番号抽出部２４は、発呼情報に続いて記録されている電話番号情報を読出し、電話番号に応じた電話番号信号としてのＤＴＭＦ音に変換して第２電話加入者線接続部２２に出力する。そして、第２電話加入者線接続部２２は第２の電話加入者線１０３ｂの回線をオフフックの状態にし、ＤＴＭＦ音を第２の電話加入者線１０３ｂに送信する。ここで、発呼情報や、発呼情報と電話番号情報の関連付けは、発呼情報と電話番号情報の間に「＃」などの予め定められた符号を入力することで行う。
【００４４】
電話転送装置９２は、音声転送手順Ｓ２１４を発呼手順Ｓ２１３の後にさらに実行する。音声転送手順Ｓ２１４では、第１電話加入者線接続部２１が、第１の電話加入者線１０３ａからのアナログ音声信号を第２電話加入者線接続部２２に出力し、第２電話加入者線接続部２２からのアナログ音声信号を第１の電話加入者線１０３ａに出力するとともに、第２電話加入者線接続部２２が、第２の電話加入者線１０３ｂからのアナログ音声信号を第１電話加入者線接続部２１に出力し、第１電話加入者線接続部２１からのアナログ音声信号を第２の電話加入者線１０３ｂに出力する。これにより、図４に示す電話端末５３ａと電話端末５３ｂの間での通話が可能になる。
【００４５】
電話転送装置９２は、終話手順Ｓ２１５を発呼手順の後にさらに実行する。終話手順Ｓ２１５では、図４に示す電話端末５３ａ又は電話端末５３ｂが電話を切ったときに、第１の電話網１０２ａ及び第２の電話網１０２ｂの両方の接続を切断し、終話させる。一方、終話手順Ｓ２１５では、電話端末５３ａ又は電話端末５３ｂが電話を切らなければ音声転送手順Ｓ２１４へ戻り、終話手順Ｓ２１５と音声転送手順Ｓ２１４を繰り返す。
【００４６】
具体的には、図４に示す電話端末５３ａから電話を切る場合、終話手順Ｓ２１５では、第１電話網終話部２６が、第１電話加入者線接続部２１からのアナログ音声信号を受信し、当該アナログ音声信号の音声信号帯域に電話網終話情報が含まれているか否かを判定する。そして、当該電話網終話情報が含まれていると第１電話網終話部２６が判定すると、第２電話加入者線接続部２２に第２の電話加入者線１０３ｂとの接続を切断させる。これにより、第１電話網終話部２６は、図４に示す電話端末５３ａから電話端末５３ｂへ送信するアナログ音声信号を用いて、第２の電話網１０２ｂにおいて終話をさせることができる。その後、図４に示す電話端末５３ａが第１の電話網１０２ａとの接続を切断すれば、第１の電話加入者線１０３ａと第１電話加入者線接続部２１の接続が切断されるので、第１の電話網１０２ａ及び第２の電話網１０２ｂの両方の接続を切断し、終話をさせることができる。
【００４７】
図４に示す電話端末５３ｂから電話を切る場合、終話手順Ｓ２１５では、第２電話網終話部２７が、第２の電話加入者線１０３ｂから第２電話加入者線接続部２２を介して電話加入者線における電話網終話信号を受信すると、電話網終話情報を音声信号帯域に載せて第１電話加入者線接続部２１を介して第１の電話加入者線１０３ａに出力する。これにより、図４に示す電話端末５３ａに対して終話したことを通知することができるので、第１の電話網１０２ａにおいて終話させることができる。ここで、電話網終話信号は、例えば転極信号である。そして、第２電話網終話部２７が、第２電話加入者線接続部２２に第２の電話加入者線１０３ｂとの接続を切断させる。これにより、第２電話網終話部２７は、第１の電話網１０２ａ及び第２の電話網１０２ｂの両方の接続を切断し、終話をさせることができる。
【００４８】
終話手順Ｓ２１５において、第１の電話網１０２ａにおいて終話させる際に、第２電話網終話部２７は、第１電話加入者線接続部２１に第１の電話加入者線１０３ａとの接続を切断させてもよい。例えば、第２電話網終話部２７は、第１の電話網１０２ａにおける回線が切断されたことを検出する。そして、第１の電話網１０２ａにおける回線が切断された場合には、第１の電話網１０２ａ及び第２の電話網１０２ｂの両方の接続を切断する。これにより、第２電話網終話部２７は、第１の電話網１０２ａ及び第２の電話網１０２ｂの両方を終話させることができる。
【００４９】
なお、実施形態１ではＩＰ網から電話網への電話の転送について、実施形態２では電話網から電話網への電話の転送について個別に説明したが、電話転送装置９１及び電話転送装置９２を一体化した構成としてもよい。この場合は、ＩＰ網からＩＰパケットを受信した場合には電話転送装置９１に切り替え、第１の電話加入者線から着呼信号を受信した場合には電話転送装置９２に切り替える切り替え部を、電話転送装置９１及び電話転送装置９２の前段に備えることが好ましい。
【産業上の利用可能性】
【００５０】
本発明は、外出先からパソコンやＰＤＡなどの携帯端末を利用して携帯電話との通話料金を設定するサービスに利用することができる。
【図面の簡単な説明】
【００５１】
【図１】実施形態１に係るネットワークシステム全体の概略図である。
【図２】実施形態１に係る電話転送装置の構成例である。
【図３】実施形態１に係る電話転送方法の一例を示す。
【図４】実施形態２に係るネットワークシステム全体の概略図である。
【図５】実施形態２に係る電話転送装置の構成例である。
【図６】実施形態２に係る電話転送方法の一例を示す。
【符号の説明】
【００５２】
１１  ＩＰ網接続部
１２  電話加入者線接続部
１３  発呼制御部
１４  電話番号抽出部
１５  音声情報抽出部
１６  音声パケット化部
１７  電話網終話部
１８  ＩＰ網終話部
２１  第１電話加入者線接続部
２２  第２電話加入者線接続部
２３  着呼制御部
２４  発呼制御部
２５  電話番号抽出部
２６  第１電話網終話部
２７  第２電話網終話部
５０  データ端末
５１  ルータ
５２ａ、５２ｂ、５２ｃ、５２ｄ  交換機
５３、５３ａ、５３ｂ  電話端末
５５ａ、５５ｂ  サーバ
９１、９２  電話転送装置
１０１  ＩＰ網
１０２  電話網
１０２ａ  第１の電話網
１０２ｂ  第２の電話網
１０３  電話加入者線
１０３ａ  第１の電話加入者線
１０３ｂ  第２の電話加入者線
【図１】
2010062857.tif 000003
【図２】
2010062857.tif 000004
【図３】
2010062857.tif 000005
【図４】
2010062857.tif 000006
【図５】
2010062857.tif 000007
【図６】
2010062857.tif 000008